(57)【要約】【課題】筐体の傾きをユーザに報知でき、表示パネルに表示された傾きに関する情報に基づいて筐体の傾きを正確に調整することができる表示装置を提供する。【解決手段】表示パネルを収容する筐体１２をスタンド１４で支持する表示装置において、スタンド１４で支持された状態の筐体１２の傾きを検出する傾斜センサ２０と、傾斜センサ２０が検出した傾きに関する情報を表示パネルに表示する表示制御手段とを備え、ユーザは、表示パネルに表示された傾きに関する情報に基づいて筐体１２の傾きを調整する。【選択図】図２
2007212683.tif 000002
【特許請求の範囲】
【請求項１】
表示パネルを収容する筐体をスタンドで支持する表示装置において、
前記スタンドで支持された状態の前記筐体の傾きを検出する検出手段と、
該検出手段が検出した傾きに関する情報を表示パネルに表示する表示制御手段と
を備えることを特徴とする表示装置。
【請求項２】
前記検出手段は、
スタンドが載置されている面から筐体までの距離を検出する複数の距離センサと、
該距離センサが検出した距離に基づいて筐体の傾きを算出する算出手段と
を備えることを特徴とする請求項１記載の表示装置。
【請求項３】
表示パネルを収容する筐体をスタンドで支持する表示装置において、
前記スタンドで支持された状態の前記筐体の傾きを検出する検出手段が取付けられる取付部と、
該取付部に取付けられた検出手段が検出した傾きに関する情報を表示パネルに表示する表示制御手段と
を備えることを特徴とする表示装置。
【請求項４】
前記スタンドは２本の支柱を備え、
該２本の支柱が筐体に取付けられていることを特徴とする請求項１乃至３の何れかひとつに記載の表示装置。
【発明の詳細な説明】
【技術分野】
【０００１】
本発明は、表示パネルを収容する筐体をスタンドで支持する表示装置に関する。
【背景技術】
【０００２】
近年、ブラウン管を用いた表示装置に代わって、液晶パネルなどの表示パネルを用いた表示装置が増加している。表示パネルを用いた表示装置は、表示パネルを収容した平板状の筐体をスタンドで支持するものが多い。また、液晶パネルはブラウン管に比べて軽量であるため、筐体（表示パネル）の傾きを調整可能なスタンドも提案されている（特許文献１，２参照）。
【０００３】
また、例えば６５インチサイズなどの大型の液晶パネルを用いた場合は、サイズ及び重量ともに大きく、上述の傾きを調整可能なスタンドはバランスが安定し難いなどの問題により用いられず、多くの場合、スタンドに２本の支柱を設けて、２本の支柱を筐体に固定することが多い。この場合、２本の支柱の夫々の固定位置によって筐体の傾きが調整される。
【特許文献１】特開２００４−３６１７６４号公報
【特許文献２】特開２００５−６０５７号公報
【発明の開示】
【発明が解決しようとする課題】
【０００４】
また、大型の液晶パネルの場合はサイズが大きいため、スタンドと筐体とを別々に梱包し、設置場所でスタンドを筐体に取付ける場合が多い。その際、サービスマンなどが筐体の傾きが床などの設置面と平行になるように調整するが、調整が不十分で筐体が若干傾いた状態になる場合もある。また、ユーザが表示装置の設置場所を移動させた場合、設置面の状態が変化したことにより、筐体が傾く場合がある。その際は、ユーザがスタンドの２本の支柱の固定位置を調整することにより、筐体の傾きを修正することが可能である。しかし、ユーザはこのような調整を行うことはあまりなく、正しく調整できない場合も多い。特に、大型の表示パネルはサイズ及び重量が大きく、筐体を持ち上げながら傾きを調整するため、離れた位置から筐体の傾きを確認しながら調整を行うことはできず、正確な傾き調整は困難という問題がある。
【０００５】
本発明は斯かる事情に鑑みてなされたものであり、スタンドで支持された状態の筐体の傾きを検出する検出手段と、検出された傾きに関する情報を表示パネルに表示する表示制御手段とを備えることにより、筐体の傾きをユーザに報知できる表示装置を提供することを目的とする。
【０００６】
また、本発明は、前記検出手段は、スタンドが載置されている面から筐体までの距離を検出する複数の距離センサと、検出された距離に基づいて筐体の傾きを算出する算出手段とを備えることにより、スタンドが載置されている面に対する筐体の傾きを検出することができる表示装置を提供することを他の目的とする。
【０００７】
また、本発明は、スタンドで支持された状態の筐体の傾きを検出する検出手段が取付けられる取付部と、取付けられた検出手段が検出した傾きに関する情報を表示パネルに表示する表示制御手段とを備えることにより、各筐体に検出手段を設ける必要がない表示装置を提供することを他の目的とする。
【０００８】
また、本発明は、スタンドは２本の支柱を備え、該２本の支柱が筐体に取付けられ、２本の支柱の少なくとも一方の取付け位置を調整することにより、筐体の傾きを調整することができる表示装置を提供することを他の目的とする。
【課題を解決するための手段】
【０００９】
本発明に係る表示装置は、表示パネルを収容する筐体をスタンドで支持する表示装置において、前記スタンドで支持された状態の前記筐体の傾きを検出する検出手段と、該検出手段が検出した傾きに関する情報を表示パネルに表示する表示制御手段とを備えることを特徴とする。
【００１０】
本発明に係る表示装置は、前記検出手段は、スタンドが載置されている面から筐体までの距離を検出する複数の距離センサと、該距離センサが検出した距離に基づいて筐体の傾きを算出する算出手段とを備えることを特徴とする。
【００１１】
本発明に係る表示装置は、表示パネルを収容する筐体をスタンドで支持する表示装置において、前記スタンドで支持された状態の前記筐体の傾きを検出する検出手段が取付けられる取付部と、該取付部に取付けられた検出手段が検出した傾きに関する情報を表示パネルに表示する表示制御手段とを備えることを特徴とする。
【００１２】
本発明に係る表示装置は、前記スタンドは２本の支柱を備え、該２本の支柱が筐体に取付けられていることを特徴とする。
【００１３】
本発明においては、スタンドで支持された状態の筐体の傾きを検出手段で検出し、検出された傾きに関する情報を表示制御手段が表示パネルに表示するため、筐体の傾きをユーザに報知できる。ユーザは、表示パネルに表示された傾きに関する情報に基づいて、筐体の傾きを調整することができる。
【００１４】
本発明においては、前記検出手段は、スタンドが載置されている面から筐体までの距離を検出する複数の距離センサと、検出された距離に基づいて筐体の傾きを算出する算出手段とを備えることにより、スタンドが載置されている面に対する筐体の傾きを検出することができる。この場合、各距離センサの検出値が同じ場合、筐体（表示パネル）はスタンドが載置されている面と平行になっている。
【００１５】
本発明においては、スタンドで支持された状態の筐体の傾きを検出する検出手段が取付部に取付けられ、該取付部に取付けられた検出手段が検出した傾きに関する情報を表示制御手段が表示パネルに表示するため、筐体の傾きをユーザに報知できる。ユーザは、表示パネルに表示された傾きに関する情報に基づいて、筐体の傾きを調整することができる。また、検出手段は取付部に取付け及び取外し可能であるため、傾きを検出する筐体にのみ検出手段を取付ければよく、各筐体に検出手段を設ける必要がなくなる。
【００１６】
本発明においては、スタンドは２本の支柱を備え、該２本の支柱が筐体に取付けられているため、２本の支柱の少なくとも一方の取付け位置を調整することにより、筐体の傾きを調整することができる。
【発明の効果】
【００１７】
本発明によれば、筐体の傾きをユーザに報知でき、ユーザは、表示パネルに表示された傾きに関する情報に基づいて、筐体の傾きを調整することができる。これにより、筐体の傾きを正確に調整することができる。
【００１８】
本発明によれば、スタンドが載置されている面に対する筐体の傾きを検出することができる。
【００１９】
本発明によれば、傾きを検出する筐体にのみ検出手段を取付ければよく、各筐体に検出手段を設ける必要がなくなり、コストを削減できる。
【００２０】
本発明によれば、２本の支柱の少なくとも一方の取付け位置を調整することにより、筐体の傾きを調整することができる。
【発明を実施するための最良の形態】
【００２１】
以下、本発明をその実施の形態を示す図面に基づいて具体的に説明する。
図１は本発明に係る表示装置の例を示す正面図であり、図２は表示装置の背面図であり、図３は表示装置の要部構成を示すブロック図である。表示装置は、ＬＣＤ（Liquid Crystal Display）などの表示パネル１６が板状の筐体１２に収容されており、筐体１２にはスタンド１４が取付けられている。スタンド１４は床１０などに載置されている。
【００２２】
スタンド１４は２本の支柱を備え、２本の支柱が筐体１２に取付けられている。本実施の形態では、２本の支柱の一方はビスなどで筐体１２に固定されているが、図２に示すように２本の支柱の他方はトグル１８により、スタンド１４に対する筐体１２の高さ調整が可能なように取付けられている。よって、トグル１８を操作することにより、筐体１２の傾きを調整することができる。
【００２３】
筐体１２は、表示パネル１６、各種操作キーなどの操作部２６、リモートコントローラ（以下、リモコンと略す）からの信号を受信するリモコンＩＦ（インタフェイス）２８、表示パネル１６に表示する映像などの処理を行う映像処理部３０、筐体１２の左右下部に夫々取付けられ、床１０までの距離（図２の一点鎖線）を検出する傾斜センサ２０、上述した各構成部を制御するマイクロコンピュータ（以下、マイコンと略す）２２、及び、映像処理部３０とマイコン２２とが使用するデータを記憶するメモリ２４とを備え、それぞれはバスに接続されている。
【００２４】
傾斜センサ２０は、スタンド１４が載置されている面から筐体１２までの距離を検出する距離センサ（検出手段）として動作し、検出値はマイコン２２に送られる。傾斜センサ（距離センサ）２０としては、例えば赤外線センサ又はレーザセンサなどを用いることが可能である。マイコン２２は、傾斜センサ２０が検出した距離に基づいて筐体１２の傾きを算出する算出手段（検出手段）として動作する。また、マイコン２２は、算出した筐体１２の傾きに関する情報を表示パネル１６に表示する表示制御手段として動作する。ここで、筐体１２の傾きは、スタンド１４が載置された床１０に対する筐体１２の長辺の傾きである。
【００２５】
筐体１２の傾きに関する情報は、筐体１２の傾き角度を含んでおり、現在の筐体１２の傾き角度（図１の例では２°）が表示パネル１６に表示される。傾き角度は、左右の傾斜センサ（距離センサ）２０の検出値が同じ場合に０°（床１０と平行）となり、傾斜センサ２０間の距離及び各傾斜センサ２０の計測値の差により、傾き角度を算出することができる。また、筐体１２の傾きに関する情報は、図１に示すように、表示装置の全体を示す画像を含んでおり、現在の傾きを示す画像表示を行ったり、トグル１８の位置を示す画像表示を行うことが可能である。また、筐体１２の傾きに関する情報は、図１に示すように、「セットが傾いています、トグルを回転して下さい」などのメッセージを含む。これら筐体１２の傾きに関する情報は、マイコン２２、及びマイコン２２の制御により映像処理部３０で作成され、メモリ２４に記憶される。
【００２６】
また、例えばトグル１８を右に回転させるとトグル１８部分の高さが低くなり、左に回転させるとトグル１８部分の高さが高くなる場合、図１のように筐体１２のトグル１８側が高く傾いているときは、トグル１８側が低くなるように「トグルを右に回転して下さい」などのメッセージを表示することも可能である。
【００２７】
筐体１２の傾きに関する情報の表示は、例えばリモコンＩＦ２８で傾き表示画面の表示操作を受付けたことにより、マイコン２２が処理を行う。図４は、表示装置の傾き調整の処理手順の例を示すフローチャートである。リモコンＩＦ２８で傾き表示画面の表示操作を受付けたことにより、マイコン２２は、傾斜センサ２０を作動させ、傾斜センサ２０の検出値を取得（Ｓ１０）してメモリ２４に記憶する。また、マイコン２２は、傾斜センサ２０の検出値に基づいて傾斜角を求め（Ｓ１２）てメモリ２４に記憶し、求めた傾斜角に応じた表示内容を決定（Ｓ１４）してメモリ２４に記憶し、映像処理部３０を制御して、求めた傾斜角及び決定した表示内容を表示パネル１６に表示させる（Ｓ１６）。例えば、図１に示すように、現在の傾斜角度、現在の傾斜に応じた装置全体図、及びメッセージを作成及び表示する。
【００２８】
ユーザは、表示パネル１６に表示された表示内容に基づいてトグル１８を操作し、筐体１２の傾きを調整する。リモコンＩＦ２８が終了操作を受付けていない場合（Ｓ１８：ＮＯ）、マイコン２２は、上述した処理を繰返し、現在の筐体１２の傾斜に基づく情報を表示パネル１６に表示する（Ｓ１０〜Ｓ１６）。表示パネル１６に表示される傾斜の角度が０°になった場合、ユーザは筐体１２と床１０とが水平になったことを確認し、傾きの調整を終了する。リモコンＩＦ２８が終了操作を受付けた場合（Ｓ１８：ＹＥＳ）、マイコン２２は、傾きに関する情報の表示処理を終了する。
【００２９】
現在の筐体１２の傾きに関する情報が表示パネル１６に表示されるため、ユーザは表示パネル１６の表示に基づいて、現在の筐体１２の傾きを正確に把握し、傾き調整を正確に行うことができる。
【００３０】
上述した実施の形態では、傾斜センサ２０は筐体１２に内蔵されているが、傾斜センサ２０を取付け及び取外し自在にすることも可能である。図５は本発明に係る他の表示装置の背面図である。筐体１２には、傾斜センサ２０ａが取付けられる取付部２０ｂを備えており、取付部２０ｂに傾斜センサ２０ａを取付けること及び取外すことが可能である。傾斜センサ２０ａを取付部２０ｂに取付けることにより、傾斜センサ２０ａはマイコン２２と接続される。この場合、各筐体に傾斜センサを設ける必要がないため、表示装置のコストを削減することができる。
【００３１】
また、上述した各実施の形態においては、傾斜センサとして複数の距離センサを用いたが、デジタル水平器を用いることも可能である。図６は本発明に係る更に他の表示装置の背面図であり、傾斜センサとしてデジタル水平器３２が筐体１２に設けられており、デジタル水平器３２が検出した傾斜量がマイコン２２に送られる。
【００３２】
また、上述した各実施の形態においては、トルグ１８により、スタンド１４の２つの支柱の一方の高さを調整可能としたが、トルグ１８に限定はされず、例えばビスなどで高さを調整することも可能である。図７は本発明に係る更に他の表示装置の背面図であり、スタンド１４の２つの支柱が夫々ビス３６によって筐体１２に取付けられており、例えば筐体１２側の挿入孔にスタンド１４の支柱を挿入し、ビス３６で支柱を挿入孔に固定し、ビスを緩めて高さ調整を行うことが可能である。
【００３３】
また、上述した各実施の形態では、スタンド１４の支柱に対して高さを変更可能にしたが、スタンド１４の裏面にシートなどを貼着して筐体１２の傾き調整を行うことも可能である。図８はスタンド１４の裏面図であり、図９は表示パネル１６の表示例を示す図である。図８に示したように、スタンド１４の左右の外周付近には、シートを貼着ける貼着部３４が設けられており、図９に示すように、マイコン２２は表示パネル１６に、筐体１２の傾き角度、傾き角度を示す全体図、スタンド１４の裏面のシート貼着位置を示す画像、及び「シートを指定部分に貼ってください」などのメッセージを表示する。
【００３４】
例えば、図の例のように正面から見て左側が高い場合は、スタンド１４の裏の右側にシートを貼り着けるように表示を行う。ユーザは、現在の筐体１２の傾きやメッセージに従って、スタンド１４裏面の必要な貼着部３４にシートを貼り着けて傾きを調整することができる。
【００３５】
また、上述した各実施の形態においては、筐体１２の左右の傾きを例にして説明したが、筐体１２の奥行き方向の傾き（チルト角）を検出し、検出されたチルト角をマイコン２２が表示パネル１６に表示することも可能である。また、本発明を用いて従来の液晶表示装置の傾きを求め、表示することも可能である。
【図面の簡単な説明】
【００３６】
【図１】本発明に係る表示装置の例を示す正面図である。
【図２】表示装置の背面図である。
【図３】表示装置の要部構成を示すブロック図である。
【図４】表示装置の傾き調整の処理手順の例を示すフローチャートである。
【図５】本発明に係る他の表示装置の背面図である。
【図６】本発明に係る更に他の表示装置の背面図である。
【図７】本発明に係る更に他の表示装置の背面図である。
【図８】スタンドの裏面図である。
【図９】表示パネルの表示例を示す図である。
【符号の説明】
【００３７】
１０  床
１２  筐体
１４  スタンド
１６  表示パネル
１８  トルグ
２０  傾斜センサ
２２  マイコン
２８  リモコンＩＦ
３０  映像処理部
３２  デジタル水平器
３４  貼着部
【図１】
2007212683.tif 000003
【図２】
2007212683.tif 000004
【図３】
2007212683.tif 000005
【図４】
2007212683.tif 000006
【図５】
2007212683.tif 000007
【図６】
2007212683.tif 000008
【図７】
2007212683.tif 000009
【図８】
2007212683.tif 000010
【図９】
2007212683.tif 000011